(57)【要約】      （修正有）【課題】地盤調査や地盤基礎工事なしに設置して、太陽光発電モジュールを支持固定することができると共に、径年時の地盤沈下にも容易に対応することができる太陽光発電モジュール用架台を提供する。【解決手段】架台１は、矩形状の設置面の四隅に配置されるコンクリート製の基礎ブロックである束石１８ａ、１８ｂ、１８ｃ、１８ｄと、束石１８ａ、１８ｂ、１８ｃ、１８ｄの上面にそれぞれ立設されるパイプ状の４本の支柱２ａ、２ｂ、２ｃ、２ｄと、当該４本の支柱２ａ、２ｂ、２ｃ、２ｄに連結されて太陽光発電モジュールを支持する骨組み部材と、を備えている。支柱２ａ、２ｂ、２ｃ、２ｄは、それぞれ束石１８ａ、１８ｂ、１８ｃ、１８ｄの上面にジャッキ機構１９ａ、１９ｂ、１９ｃ、１９ｄを介して立設されている。【選択図】図２
0003188842.tif 000002
【実用新案登録請求の範囲】
【請求項１】
矩形状の設置面の少なくとも四隅に配置される基礎ブロックと、前記基礎ブロックの上面に立設される支柱と、前記支柱に連結されて太陽光発電モジュールを支持する骨組み部材と、を備えた太陽光発電モジュール用架台であって、
前記支柱は、前記基礎ブロックの上面にジャッキ機構を介して立設されていることを特徴とする太陽光発電モジュール用架台。
【請求項２】
前記ジャッキ機構は、
前記基礎ブロックの上面に立設され、周面に雄ネジが形成されたネジ軸部と、
雌ネジが形成されたネジ孔を有し、前記ネジ軸部の前記雄ネジと螺合する支持筒と、
前記支持筒の外周面に突出させて形成された、当該支持筒を回転させるためのハンドルと、を備え、
前記支柱は、少なくとも下端部がパイプ状に形成されている、請求項１に記載の太陽光発電モジュール用架台。
【請求項３】
前記ネジ軸部は、前記基礎ブロックに埋め込まれている、請求項２に記載の太陽光発電モジュール用架台。
【考案の詳細な説明】
【技術分野】
【０００１】
本考案は、太陽光発電モジュールを支持固定するために用いられる太陽光発電モジュール用架台に関する。さらに詳細には、本考案は、地面やビルの屋上・陸屋根等の比較的水平な設置面上に設置して、太陽光発電モジュールを支持固定するのに好適な太陽光発電モジュール用架台に関する。
【背景技術】
【０００２】
太陽光発電モジュールは、その特性上、屋外に設置されるので、いろいろな方向からの風を受け、太陽光発電モジュールに対して上向きの風圧が作用したり、下向きの風圧が作用したりする。従って、太陽光発電モジュールを前傾させた状態で、強風による風荷重にも耐え得るような強固な太陽光発電モジュール用架台が必要とされる。
【０００３】
これらの要求を満たすために、従来、複数個の基礎ブロックと、これら基礎ブロック上に設けられた複数本の骨組み部材からなり太陽光発電モジュールを支持する架台本体と、を備えるようにした太陽光発電モジュール用架台が提案されている（例えば、特許文献１〜３参照）。
【先行技術文献】
【特許文献】
【０００４】
【特許文献１】特開平１１−１７７１１４号公報
【特許文献２】特開２０１１−９１１６６号公報
【特許文献３】特開２０１１−７７１９４号公報
【考案の概要】
【考案が解決しようとする課題】
【０００５】
しかし、特許文献１〜３に開示された太陽光発電モジュール用架台では、架台を水平に設置するために、地盤調査や地盤基礎工事を行なう必要があり、これらにかかるコストを含めると、太陽光発電装置の施工にかなりのコストがかかるという問題がある。また、特許文献１〜３に開示された太陽光発電モジュール用架台では、径年時の地盤沈下に対応することも困難であるという問題がある。
【０００６】
本考案は、従来技術における前記課題を解決するためになされたものであり、地盤調査や地盤基礎工事なしに設置して、太陽光発電モジュールを支持固定することができると共に、径年時の地盤沈下にも容易に対応することができる太陽光発電モジュール用架台を提供することを目的とする。
【課題を解決するための手段】
【０００７】
前記目的を達成するため、本考案に係る太陽光発電モジュール用架台の構成は、
（１）矩形状の設置面の少なくとも四隅に配置される基礎ブロックと、前記基礎ブロックの上面に立設される支柱と、前記支柱に連結されて太陽光発電モジュールを支持する骨組み部材と、を備えた太陽光発電モジュール用架台であって、
前記支柱は、前記基礎ブロックの上面にジャッキ機構を介して立設されていることを特徴とする。
【０００８】
本考案の太陽光発電モジュール用架台の上記（１）の構成によれば、各ジャッキ機構によって各支柱を独立に上下動させることにより、架台の水平調整を行なうことができる。従って、本考案の太陽光発電モジュール用架台の上記（１）の構成によれば、地盤調査や地盤基礎工事なしに設置して、太陽光発電モジュールを支持固定することができる。さらに、この水平調整により、径年時の地盤沈下にも容易に対応することができる。
【０００９】
前記本考案の太陽光発電モジュール用架台の上記（１）の構成においては、以下の（２）、（３）のような構成にすることが好ましい。
【００１０】
（２）前記ジャッキ機構は、
前記基礎ブロックの上面に立設され、周面に雄ネジが形成されたネジ軸部と、
雌ネジが形成されたネジ孔を有し、前記ネジ軸部の前記雄ネジと螺合する支持筒と、
前記支持筒の外周面に突出させて形成された、当該支持筒を回転させるためのハンドルと、を備え、
前記支柱は、少なくとも下端部がパイプ状に形成されている。
【００１１】
上記（２）の好ましい構成によれば、基礎ブロックを矩形状の設置面の少なくとも四隅に配置した後、支柱の下端部をジャッキ機構のネジ軸部に挿通し、前記支柱の下端面を前記ジャッキ機構の支持筒の上面に当接させるだけで、前記支柱を基礎ブロックの上面に立設することができる。従って、上記（２）の好ましい構成によれば、架台の組立及び解体を短時間で行なうことが可能となる。また、上記（２）の好ましい構成によれば、各ジャッキ機構の前記支持筒を回転させて、各支柱を独立に上下動させることにより、簡単に架台の水平調整を行なうことができる。
【００１２】
（３）上記（２）の構成において、前記ネジ軸部は、前記基礎ブロックに埋め込まれている。
【００１３】
上記（３）の好ましい構成によれば、基礎ブロックとジャッキ機構を一体のものとして扱うことができるので、部材の管理がしやすくなる。
【考案の効果】
【００１４】
本考案によれば、地盤調査や地盤基礎工事なしに設置して、太陽光発電モジュールを支持固定することができると共に、径年時の地盤沈下にも容易に対応することができる太陽光発電モジュール用架台を提供することができる。従って、本考案の太陽光発電モジュール用架台は、太陽光発電装置の低コスト化・短納期化を図る上で有用である。
【図面の簡単な説明】
【００１５】
【図１】図１は、本考案の一実施の形態における太陽光発電モジュール用架台を用いた太陽光発電装置の構成を示す斜視図である。
【図２】図２は、本考案の一実施の形態における太陽光発電モジュール用架台の構成を示す斜視図である。
【図３】図３は、本考案の一実施の形態における太陽光発電モジュール用架台の組立方法を示す分解斜視図である。
【図４】図４は、本考案の一実施の形態における太陽光発電モジュール用架台の構成部材であるジャッキ機構の構成を示す正面図である。
【図５】図５は、本考案の一実施の形態における太陽光発電モジュール用架台の構成部材である補強杆の支柱への連結方法の他の例を示す正面図である。
【図６】図６は、本考案の一実施の形態における太陽光発電モジュール用架台の構成部材である第１及び第２の桟支持杆を把持して固定するための第１クランプの具体的構成を示す斜視図である。
【図７】図７は、第１クランプによる第１及び第２の桟支持杆の把持状態を示す斜視図である。
【図８】図８は、本考案の一実施の形態における太陽光発電モジュール用架台の構成部材である桟を固定するために第１及び第２の桟支持杆に装着される第２クランプの具体的構成を示す斜視図である。
【図９】図９は、第２クランプによる第１及び第２の桟支持杆の把持状態、及び、第２クランプへの桟の固定方法を示す分解斜視図である。
【考案を実施するための形態】
【００１６】
以下、好適な実施の形態を用いて本考案をさらに具体的に説明する。但し、下記の実施の形態は本考案を具現化した例に過ぎず、本考案はこれに限定されるものではない。
【００１７】
（太陽光発電装置の構成）
まず、本考案の一実施の形態における太陽光発電モジュール用架台を用いた太陽光発電装置の構成について、図１を参照しながら説明する。
【００１８】
図１は、本考案の一実施の形態における太陽光発電モジュール用架台を用いた太陽光発電装置の構成を示す斜視図である。
【００１９】
図１に示すように、太陽光発電装置１００は、太陽光発電モジュール５０と、当該太陽光発電モジュール５０を支持固定するために用いられる太陽光発電モジュール用架台（以下、単に「架台」ともいう）１と、を備えている。太陽光発電モジュール５０としては、リジテック（ＬＩＧＩＴＥＫ）製の４枚の単結晶太陽光発電モジュール５０ａ、５０ｂ、５０ｃ、５０ｄが用いられている。各単結晶太陽光発電モジュール５０ａ、５０ｂ、５０ｃ、５０ｄは、６０
枚の太陽電池セルからなり、最大出力は２５０Ｗである。従って、太陽光発電モジュール５０としての最大出力は、１ｋＷである。太陽光発電モジュール５０の重量は８０ｋｇ（２０ｋｇ×４枚）であり、架台１を含めた太陽光発電装置１００の総重量は約３００ｋｇである。尚、架台１を構成する鋼材としては、ＺＡＭ（登録商標）として知られる高耐食溶融Ｚｎ−６％Ａｌ−３％Ｍｇ合金めっき鋼材が用いられている。
【００２０】
太陽光発電装置１００は、上記のように１ｋＷ単位のコンパクト設計であるため、自主清掃や保守に入りやすい（管理しやすい）と共に、１００％南向きに設置することができるというメリットを有する。
【００２１】
（太陽光発電モジュール用架台の構成）
次に、本考案の一実施の形態における太陽光発電モジュール用架台の具体的構成について、図２〜図９をも参照しながら説明する。
【００２２】
図２は、本考案の一実施の形態における太陽光発電モジュール用架台の構成を示す斜視図、図３は、当該架台の組立方法を示す分解斜視図、図４は、当該架台の構成部材であるジャッキ機構の構成を示す正面図、図５は、当該架台の構成部材である補強杆の支柱への連結方法の他の例を示す正面図、図６は、当該架台の構成部材である第１及び第２の桟支持杆を把持して固定するための第１クランプの具体的構成を示す斜視図、図７は、第１クランプによる第１及び第２の桟支持杆の把持状態を示す斜視図、図８は、当該架台の構成部材である桟を固定するために第１及び第２の桟支持杆に装着される第２クランプの具体的構成を示す斜視図、図９は、第２クランプによる第１及び第２の桟支持杆の把持状態、及び、第２クランプへの桟の固定方法を示す分解斜視図である。
【００２３】
図２に示すように、架台１は、矩形状の設置面の四隅に配置されるコンクリート製の基礎ブロックである四角錐台状の束石１８ａ、１８ｂ、１８ｃ、１８ｄと、束石１８ａ、１８ｂ、１８ｃ、１８ｄの上面にそれぞれ立設されるパイプ状の４本の支柱２ａ、２ｂ、２ｃ、２ｄと、当該４本の支柱２ａ、２ｂ、２ｃ、２ｄに連結されて太陽光発電モジュール５０を支持する骨組み部材と、を備えている。骨組み部材は、正面側の２本の支柱２ａ、２ｂの上端に架け渡されるパイプ状の第１の桟支持杆３ａと、背面側の２本の支柱２ｃ、２ｄの上端に架け渡されるパイプ状の第２の桟支持杆３ｂと、第１及び第２の桟支持杆３ａ、３ｂ間に当該第１及び第２の桟支持杆３ａ、３ｂと直角に架け渡されるリップ溝形鋼からなる４本の桟４ａ、４ｂ、４ｃ、４ｄと、を備えている。正面側の２本の支柱２ａ、２ｂは、背面側の２本の支柱２ｃ、２ｄよりも短く形成されている。これにより、４本の桟４ａ、４ｂ、４ｃ、４ｄは背面側から正面側に向かって下り傾斜した状態となり、太陽光発電モジュール５０を前傾させた状態で支持することができる（図１参照）。尚、４本の支柱２ａ、２ｂ、２ｃ、２ｄは、４本の水平な補強杆５ａ、５ｂ、５ｃ、５ｄによって補強されている。
【００２４】
上記のように、支柱２ａ、２ｂ、２ｃ、２ｄは、それぞれコンクリート製の基礎ブロックである束石１８ａ、１８ｂ、１８ｃ、１８ｄの上面に立設されている。各束石１８ａ、１８ｂ、１８ｃ、１８ｄの重量は４０ｋｇであり、束石１８ａ、１８ｂ、１８ｃ、１８ｄの総重量は１６０ｋｇである。従って、太陽光発電モジュール５０を前傾させた状態で、強風による風荷重にも耐え得る強固な架台１を提供することができる。そして、屋上・陸屋根等に設置する場合にも、当該屋上・陸屋根等にアンカー用の孔を開ける必要がないので、雨漏りゼロの太陽光発電装置１００を提供することができる。
【００２５】
図２、図３に示すように、桟４ａ、４ｂ、４ｃ、４ｄの正面側の端部には、それぞれストッパ１７ａ、１７ｂ、１７ｃ、１７ｄが形成されている。そして、これにより、図１に示すように桟４ａ、４ｂ、４ｃ、４ｄの上面に単結晶太陽光発電モジュール５０ａ、５０ｂ、５０ｃ、５０ｄを載せたときに、当該単結晶太陽光発電モジュール５０ａ、５０ｂ、５０ｃ、５０ｄがズレ落ちないようにされている。尚、単結晶太陽光発電モジュール５０ａ、５０ｂ、５０ｃ、５０ｄは、桟４ａ、４ｂ、４ｃ、４ｄの上面に載せた後、当該桟４ａ、４ｂ、４ｃ、４ｄにしっかりと固定される。
【００２６】
このように桟４ａ、４ｂ、４ｃ、４ｄの正面側の端部にそれぞれストッパ１７ａ、１７ｂ、１７ｃ、１７ｄを形成することにより、単結晶太陽光発電モジュール５０ａ、５０ｂ、５０ｃ、５０ｄの固定作業及び取り外し作業をスムーズに行なうことができるので、太陽光発電装置１００の設置及び撤去（移動）を短時間で行なうことが可能となる。
【００２７】
図２、図３に示すように、支柱２ａ、２ｂ、２ｃ、２ｄは、それぞれ束石１８ａ、１８ｂ、１８ｃ、１８ｄの上面にジャッキ機構１９ａ、１９ｂ、１９ｃ、１９ｄを介して立設されている。ジャッキ機構１９ａ、１９ｂ、１９ｃ、１９ｄの重量は、それぞれ３．２ｋｇである。
【００２８】
かかる構成によれば、各ジャッキ機構１９ａ、１９ｂ、１９ｃ、１９ｄによって各支柱２ａ、２ｂ、２ｃ、２ｄを独立に上下動させることにより、架台１の水平調整を行なうことができる。その結果、地盤調査や地盤基礎工事なしに当該架台１を設置して、太陽光発電モジュール５０を支持固定することができる。また、この水平調整により、径年時の地盤沈下にも容易に対応することができる。従って、かかる構成を備えた架台１は、太陽光発電装置１００の低コスト化・短納期化を図る上で有用である。
【００２９】
図４に示すように、ジャッキ機構１９ａ（１９ｂ、１９ｃ、１９ｄ）は、束石１８ａ（１８ｂ、１８ｃ、１８ｄ）の上面に立設され、周面に雄ネジが形成されたネジ軸部２０と、雌ネジが形成されたネジ孔（図示せず）を有し、ネジ軸部２０の雄ネジと螺合する支持筒２１と、支持筒２１の外周面に突出させて形成された、当該支持筒２１を回転させるためのハンドル２２と、を備えている。ここで、ネジ軸部２０は、束石１８ａ（１８ｂ、１８ｃ、１８ｄ）に埋め込まれている。
【００３０】
かかる構成によれば、束石１８ａ、１８ｂ、１８ｃ、１８ｄを矩形状の設置面の四隅に配置した後、支柱２ａ（２ｂ、２ｃ、２ｄ）の下端部をジャッキ機構１９ａ（１９ｂ、１９ｃ、１９ｄ）のネジ軸部２０に挿通し、支柱２ａ（２ｂ、２ｃ、２ｄ）の下端面をジャッキ機構１９ａ（１９ｂ、１９ｃ、１９ｄ）の支持筒２１の上面に当接させるだけで（図３、図４参照）、支柱２ａ（２ｂ、２ｃ、２ｄ）を束石１８ａ（１８ｂ、１８ｃ、１８ｄ）の上面に立設することができる。従って、かかる構成によれば、架台１の組立及び解体を短時間で行なうことが可能となる。また、各ジャッキ機構１９ａ、１９ｂ、１９ｃ、１９ｄの支持筒２１を回転させて、各支柱２ａ、２ｂ、２ｃ、２ｄを独立に上下動させることにより、簡単に架台１の水平調整を行なうことができる。また、ジャッキ機構部１９ａ（１９ｂ、１９ｃ、１９ｄ）のネジ軸部２０が、束石１８ａ（１８ｂ、１８ｃ、１８ｄ）に埋め込まれているため、束石１８ａ（１８ｂ、１８ｃ、１８ｄ）とジャッキ機構１９ａ（１９ｂ、１９ｃ、１９ｄ）を一体のものとして扱うことができるので、部材の管理がしやすくなる。
【００３１】
図２、図３に示すように、支柱２ａ、２ｂ、２ｃ、２ｄには、それぞれパイプジョイント１６ａ、１６ｂ、１６ｃ、１６ｄが装着されており、当該パイプジョイント１６ａ、１６ｂ、１６ｃ、１６ｄを介してパイプ状の補強杆５ａ、５ｂ、５ｃ、５ｄが支柱２ａ、２ｂ、２ｃ、２ｄに連結されている。これにより、支柱２ａ、２ｂ、２ｃ、２ｄが４箇所で固定されている。そして、このように支柱２ａ、２ｂ、２ｃ、２ｄを４箇所で固定することにより、架台１の正確な寸法出しが可能になると共に、架台１の剛性を高めることもできる。尚、補強杆５ａ、５ｂ、５ｃ、５ｄの支柱２ａ、２ｂ、２ｃ、２ｄへの連結には、図５に示すような「クサビによる緊結方式」を採用してもよい。図５中、参照符号２５は補強杆５ａ（５ｂ、５ｃ、５ｄ）の端部に設けられたクサビを示し、参照符号２６は支柱２ａ（２ｂ、２ｃ、２ｄ）に設けられたクサビ挿入部を示している。いずれの方式であっても、補強杆５ａ、５ｂ、５ｃ、５ｄの組み付け作業及び取り外し作業がシンプルなものとなり、架台１の組立及び解体を短時間で行なうことが可能となる。
【００３２】
図２、図３に示すように、４本の支柱２ａ、２ｂ、２ｃ、２ｄの上端には、第１及び第２の桟支持杆３ａ、３ｂを把持して固定するための第１クランプ６ａ、６ｂ、６ｃ、６ｄがそれぞれ固着されている。正面側の第１の桟支持杆３ａは、第１クランプ６ａ、６ｂによって把持され、背面側の第２の桟支持杆３ｂは、第１クランプ６ｃ、６ｄによって把持される。尚、図２、図３において、第１クランプ６ａ、６ｂ、６ｃ、６ｄは簡略化して描かれている。実際の第１クランプ６ａ、６ｂ、６ｃ、６ｄは、例えば、図６、図７に示すような構成を備えている。
【００３３】
図６に示すように、第１クランプ６ａ（６ｂ、６ｃ、６ｄ）は、支柱２ａ（２ｂ、２ｃ、２ｄ）の上端に固着され、略半円筒状の内周面を有する第１挟持部材７と、当該第１挟持部材７に回動自在に軸支され、略半円筒状の内周面を有する第２挟持部材８と、同じく第１挟持部材７に回動自在に軸支され、第２挟持部材８に係合して当該第２挟持部材８を固定する係合ピン９と、を備えている。そして、図３、図７に示すように、第１クランプ６ａ（６ｂ、６ｃ、６ｄ）の第１挟持部材７の内周面に第１の桟支持杆３ａ（第２の桟支持杆３ｂ）を載せ、第２挟持部材８を閉じて、係合ピン９を当該第２挟持部材８に係合させることにより、第１クランプ６ａ（６ｂ、６ｃ、６ｄ）によって第１の桟支持杆３ａ（第２の桟支持杆３ｂ）を把持することができる。
【００３４】
上記のような構成の第１クランプ６ａ、６ｂ、６ｃ、６ｄを用いれば、第１及び第２の桟支持杆３ａ、３ｂの組み付け作業及び取り外し作業がシンプルなものとなり、架台１の組立及び解体を短時間で行なうことが可能となる。
【００３５】
図２、図３に示すように、第１の桟支持杆３ａには、桟４ａ、４ｂ、４ｃ、４ｄの正面側の端部を固定するための第２クランプ１０ａ、１０ｂ、１０ｃ、１０ｄが装着され、第２の桟支持杆３ｂには、桟４ａ、４ｂ、４ｃ、４ｄの背面側の端部を固定するための第２クランプ１０ｅ、１０ｆ、１０ｇ、１０ｈが装着されている。尚、図２、図３において、第２クランプ１０ａ、１０ｂ、１０ｃ、１０ｄ、１０ｅ、１０ｆ、１０ｇ、１０ｈは簡略化して描かれている。実際の第２クランプ１０ａ、１０ｂ、１０ｃ、１０ｄ、１０ｅ、１０ｆ、１０ｇ、１０ｈは、例えば、図８、図９に示すような構成を備えている。
【００３６】
図８に示すように、第２クランプ１０ａ（１０ｂ、１０ｃ、１０ｄ、１０ｅ、１０ｆ、１０ｇ、１０ｈ）は、略半円筒状の内周面を有する第１挟持部材１１と、当該第１挟持部材１１に回動自在に軸支され、略半円筒状の内周面を有する第２挟持部材１２と、同じく第１挟持部材１１に回動自在に軸支され、第２挟持部材１２に係合して当該第２挟持部材１２を固定する係合ピン１３と、を備えている。そして、図９に示すように、第２クランプ１０ａ（１０ｂ、１０ｃ、１０ｄ、１０ｅ、１０ｆ、１０ｇ、１０ｈ）の第１挟持部材１１の内周面を第１の桟支持杆３ａ（第２の桟支持杆３ｂ）の上面側に当接させ、第２挟持部材１２を閉じて、係合ピン１３を当該第２挟持部材１２に係合させることにより、第２クランプ１０ａ（１０ｂ、１０ｃ、１０ｄ、１０ｅ、１０ｆ、１０ｇ、１０ｈ）を第１の桟支持杆３ａ（第２の桟支持杆３ｂ）に装着することができる。
【００３７】
図８、図９に示すように、第２クランプ１０ａ（１０ｂ、１０ｃ、１０ｄ、１０ｅ、１０ｆ、１０ｇ、１０ｈ）の第１挟持部材１１には、桟取付板１４が固着されており、当該桟取付板１４にはボルト挿通孔１４ａが穿設されている。また、桟４ａ（４ｂ、４ｃ、４ｄ）には、正面側の端部と背面側の端部にボルト挿通孔１５が穿設されている。そして、図３、図９に示すように、桟４ａ（４ｂ、４ｃ、４ｄ）のボルト挿通孔１５を桟取付板１４のボルト挿通孔１４ａに合わせ、ボルト２３及びナット２４を用いて締結することにより、桟４ａ、４ｂ、４ｃ、４ｄを第１及び第２の桟支持杆３ａ、３ｂに固定することができる。
【００３８】
上記のような構成の第２クランプ１０ａ、１０ｂ、１０ｃ、１０ｄ、１０ｅ、１０ｆ、１０ｇ、１０ｈを用いれば、桟４ａ、４ｂ、４ｃ、４ｄの組み付け作業及び取り外し作業がシンプルなものとなり、架台１の組立及び解体を短時間で行なうことが可能となる。
【００３９】
以上のように、本実施の形態の架台１の構成によれば、支柱２ａ、２ｂ、２ｃ、２ｄの立設作業、及び、骨組み部材（補強杆５ａ、５ｂ、５ｃ、５ｄ、第１及び第２の桟支持杆３ａ、３ｂ、桟４ａ、４ｂ、４ｃ、４ｄ）の組み付け作業及び取り外し作業がシンプルなものとなり、架台１の組立及び解体を短時間で行なうことが可能となる。従って、設置しやすく撤去（移動）しやすい架台１を提供することができる。
【００４０】
尚、本実施の形態においては、架台１が、矩形状の設置面の四隅に配置される束石（基礎ブロック）１８ａ、１８ｂ、１８ｃ、１８ｄと、束石１８ａ、１８ｂ、１８ｃ、１８ｄの上面にそれぞれ立設される４本の支柱２ａ、２ｂ、２ｃ、２ｄとを備える場合を例に挙げて説明したが、本考案は必ずしもこのような構成に限定されるものではない。正面側の２個の束石１８ａ、１８ｂ間、及び／又は、背面側の２個の束石１８ｃ、１８ｄ間にさらに別の束石を配置し、当該束石の上面にさらに別の支柱を立設するようにしてもよい。束石は、架台１に低重心荷重を持たせると共に、風荷重に対するカウンターウェイトとしても機能するため、かかる構成は、風荷重が大きい場合に特に有効である。
【００４１】
また、本実施の形態においては、束石（基礎ブロック）１８ａ（１８ｂ、１８ｃ、１８ｄ）の上面に立設され、周面に雄ネジが形成されたネジ軸部２０と、雌ネジが形成されたネジ孔（図示せず）を有し、ネジ軸部２０の雄ネジと螺合する支持筒２１と、支持筒２１の外周面に突出させて形成された、当該支持筒２１を回転させるためのハンドル２２と、を備えたジャッキ機構１９ａ（１９ｂ、１９ｃ、１９ｄ）を例に挙げて説明したが、ジャッキ機構は必ずしもこのような構成に限定されるものではない。ジャッキ機構は、支柱を上下動させることができる構成のものであればよく、例えば、パンタグラフジャッキ等を用いることもできる。また、上記のようなジャッキ機構１９ａ（１９ｂ、１９ｃ、１９ｄ）を用いる場合には、支柱２ａ、２ｂ、２ｃ、２ｄは少なくとも下端部がパイプ状に形成されていればよい。
【００４２】
また、本実施の形態においては、ジャッキ機構１９ａ（１９ｂ、１９ｃ、１９ｄ）のネジ軸部２０が束石１８ａ（１８ｂ、１８ｃ、１８ｄ）に埋め込まれている場合を例に挙げて説明したが、本考案は必ずしもこのような構成に限定されるものではない。例えば、束石１８ａ（１８ｂ、１８ｃ、１８ｄ）の上面に挿入穴を形成し、ネジ軸部の下端部を当該挿入穴に挿入するようにしてもよい。
【００４３】
また、本実施の形態においては、基礎ブロックがコンクリート製である場合を例に挙げて説明したが、本考案は必ずしもこのような構成に限定されるものではない。基礎ブロックは、例えば、金属製であってもよい。
【産業上の利用可能性】
【００４４】
本考案によれば、地盤調査や地盤基礎工事なしに設置して、太陽光発電モジュールを支持固定することができると共に、径年時の地盤沈下にも容易に対応することができる太陽光発電モジュール用架台を提供することができる。従って、本考案の太陽光発電モジュール用架台は、太陽光発電装置の低コスト化・短納期化を図る上で有用である。
【符号の説明】
【００４５】
１  架台
２ａ、２ｂ、２ｃ、２ｄ  支柱
３ａ  第１の桟支持杆
３ｂ  第２の桟支持杆
４ａ、４ｂ、４ｃ、４ｄ  桟
５ａ、５ｂ、５ｃ、５ｄ  補強杆
６ａ、６ｂ、６ｃ、６ｄ  第１クランプ
７、１１  第１挟持部材
８、１２  第２挟持部材
９、１３  係合ピン
１０ａ、１０ｂ、１０ｃ、１０ｄ、１０ｅ、１０ｆ、１０ｇ、１０ｈ  第２クランプ
１４  桟取付板
１４ａ、１５  ボルト挿通孔
１６ａ、１６ｂ、１６ｃ、１６ｄ  パイプジョイント
１７ａ、１７ｂ、１７ｃ、１７ｄ  ストッパ
１８ａ、１８ｂ、１８ｃ、１８ｄ  束石
１９ａ、１９ｂ、１９ｃ、１９ｄ  ジャッキ機構
２０  ネジ軸部
２１  支持筒
２２  ハンドル
２３  ボルト
２４  ナット
２５  クサビ
２６  クサビ挿入部
５０  太陽光発電モジュール
５０ａ、５０ｂ、５０ｃ、５０ｄ  単結晶太陽光発電モジュール
１００  太陽光発電装置
【図１】
0003188842.tif 000003
【図２】
0003188842.tif 000004
【図３】
0003188842.tif 000005
【図４】
0003188842.tif 000006
【図５】
0003188842.tif 000007
【図６】
0003188842.tif 000008
【図７】
0003188842.tif 000009
【図８】
0003188842.tif 000010
【図９】
0003188842.tif 000011